(57)【要約】【課題】本発明は、髪留め具の装飾体とゴムバンドを接着剤等により固定せず、装飾体とゴムバンドを付け替え可能とする装飾体取付部材を設けることで、長期使用できる髪留め具を提供する。【解決手段】裏面側に装飾体を取り付けるための装飾体取付部材と、装飾体取付部材に設けられ、髪を束ねるためのゴムバンドを保持するための保持空間を形成するとともに、保持空間内部にゴムバンドを着脱させるための挿入口を形成する保持部材を設け、保持部材の端部に髪を束ねるためのゴムバンドを保持空間内に装着するためのガイドとなるガイド部を設ける。これにより、装飾体の着脱が可能となる機能を備えた髪留め具。【選択図】図４
2020062258.tif 000002
【特許請求の範囲】
【請求項１】
裏面側に装飾体を取り付けるための装飾体取付部材と、上記装飾体取付部材に設けられ、髪を束ねるためのゴムバンドを保持するための保持空間を形成するとともに、上記保持空間内部にゴムバンドを着脱させるための挿入口を形成する保持部材を設け、上記保持部材の端部に髪を束ねるためのゴムバンドを上記保持空間内に装着するためのガイドとなるガイド部を設けた髪留め具。
【請求項２】
保持部材の外面の束ねた髪に当接する部分に窪みを備えた請求項１記載の髪留め具。
【請求項３】
裏面側に装飾体を取り付けるための装飾体取付部材と、上記装飾体取付部材に設けられ、髪を束ねるためのゴムバンドを保持するための保持空間を形成するとともに、上記保持空間内部にゴムバンドを着脱させるための挿入口を形成する保持部材を設け、上記保持部材の端部に髪を束ねるためのゴムバンドを上記保持空間内に装着するためのガイドとなるガイド部を設けた髪留め具本体と、上記保持部材の保持空間内に装着されたゴムバンドよりなる髪留め具。
【請求項４】
ゴムバンドの径は平常時は上記挿入口の幅よりも大きく、装着時に伸長させた時、上記挿入口の間隔よりも小さくなるように設定されていることを特徴とする請求項３記載の髪留め具。
【発明の詳細な説明】
【技術分野】
【０００１】
本発明は、髪留め具に関するものでる。
【背景技術】
【０００２】
一般的な髪留め用のゴムバンドは、ゴムバンド自体の装飾性が乏しいため、髪留め具としてのゴムバンドに装飾体が付属した商品が販売されている（特許文献１参照）。
【０００３】
しかし、市販されているゴムバンドに装着された装飾体は、接着剤等で固定され、付け外しができない仕様となっている。
【先行技術文献】
【特許文献】
【０００４】
【特許文献１】実登３１８８７１０号公報
【発明の概要】
【発明が解決しようとする課題】
【０００５】
このようなゴムバンドと装飾体が一体となった髪留め具では、本来、ゴムバンドは消耗品であり、ゴムの伸びや切れが発生した時点で、装飾体に損傷がなくても使用できなくなり、使い捨てで破棄することになる。
【０００６】
また、通常は、頭髪量やヘアアレンジの髪型、装着する箇所により、使用するゴムバンドのリングサイズを変える必要があるが、一般的には、ゴムバンドのリングサイズが一定であるため、少ない髪束を纏める際には、ゴムバンドを何重にも回し留めなければならず、その結果、強く結束することができず、滑り落ちやすく、自分に丁度合うサイズに合わせることができない。
本発明は、以上のような問題点をなくすためになされたものである。
【課題を解決するための手段】
【０００７】
本発明の髪留め具は、裏面側に装飾体を取り付けるための装飾体取付部材と、装飾体取付部材に設けられ、髪を束ねるためのゴムバンドを保持するための保持空間を形成するとともに、保持空間内部にゴムバンドを着脱させるための挿入口を形成する保持部材を設け、保持部材の端部に髪を束ねるためのゴムバンドを保持空間内に装着するためのガイドとなるガイド部を設け、保持部材の外面の束ねた髪に当接する部分に窪みを備え、髪留め具本体と保持部材の保持空間内に装着されたゴムバンドよりなる髪留め具のゴムバンドの径は、平常時は挿入口の幅よりも大きく、装着時に伸長させた時、挿入口の間隔よりも小さくなるように設定されていることを特徴とする。
【発明の効果】
【０００８】
ゴムバンドが伸びたり切れたりした場合、消耗品としてのゴムバンドのみを再度購入すれば、装飾体はそのまま使用できるため長期使用が可能であり、継続使用できるため経済的に無駄がなくなる。
【０００９】
ゴムバンドと装飾体を着脱可能にすることで、頭髪量やヘアアレンジの髪型に合わせて使用するゴムバンドのサイズを変更しても、容易に好みの装飾体を変更して付け替えることができ、自分の好みに合わせて付け変えられることにより、デザイン性や装飾性を高めることができる。
【００１０】
また、装飾体取付部材は、素材に関係なくさまざまな装飾体が取り付け可能であり、例えば、装飾体の素材には、布製品や宝飾品、ガラス装飾物など、あらゆる素材が使用可能である。
【図面の簡単な説明】
【００１１】
【図１】本発明の実施形態を示す正面図で、ゴムバンドを示す図である。
【図２】同斜視図で、装飾体取付部材を示す拡大図である。
【図３】同側面図で、装飾体の裏面に装飾体取付部材を取り付けた状態を示す         拡大図である。
【図４】同斜視図で、装飾体裏面に装飾体取付部材を取り付け、ゴムバンド保         持部材にゴムバンドを挿入した状態を示す図である。
【図５】同斜視図で、別の装飾体の裏面に装飾体取付部品を取り付けた状態を         示す図である。
【図６】同斜視図で、別の装飾体裏面に装飾体取付部材を取り付け、ゴムバン         ド保持部材にゴムバンドを挿入した状態を示す図である。
【発明を実施するための形態】
【００１２】
以下、本発明を実施するための形態について図を用いて説明する。
図１は、本発明の髪留め具に使用するゴムバンドであって、ゴムバンド１の構成は、芯ゴムを組紐カバーで被覆した芯ゴム入り組紐をリング状に形成されたものである。１本の芯ゴム入り組紐の両端を相互に結び合わせるようにすると、結び目が邪魔になるため、結び目がなくなるよう、芯ゴム入り組紐の両端を相互に接着剤で面接着し、組紐で芯ゴムの面接着部分を覆って接着されることで、つなぎ目のない、リング状ゴムバンド１が形成される。
【００１３】
図２から図６において、装飾体取付部材２は、装飾体を取り付けるための台座の働きをするものであり、ゴムバンド保持部材４は、装飾体取付部材２に一体に設けられ、内側にゴムバンド１を保持するためのゴムバンド保持空間５を形成している。ゴムバンド１をゴムバンド保持部材４のゴムバンド保持空間５に挿入するためのゴムバンド着脱ガイド部３は、ゴムバンド保持部材４の一端に一体に設けられ、ゴムバンド着脱ガイド部３と装飾体取付部材２の間には、ゴムバンド挿入口６が設けられている。ゴムバンド着脱ガイド部３の幅は、装飾体取付部材２の幅と同じ幅に形成され、ゴムバンド挿入口６は、ゴムバンド１の直径よりも狭い幅に形成されている。ゴムバンド保持部材４は、挿入したゴムバンド１を保持するよう、ゴムバンド保持空間５の内側は円柱形に形成され、また、ゴムバンド保持部材４の外側の髪に当る部分の形状は、ゴムバンド１を装着した際、ゴムバンド保持部材４の外側の髪を束ねる部分のゴムバンドの形に沿うよう、三日月形の窪み７が形成されている。
【００１４】
図３に示すように、装飾体８は装飾体取付部材２に取り付けられている。図４は、図３で示す装飾体８の裏面側を装飾体取付部材２に取り付け、装飾体取付部材２に一体に設けられたゴムバンド保持部材４に備えるゴムバンド着脱ガイド部３より、ゴムバンド１を挿入した状態を示すものである。
【００１５】
同様に、図５は別の装飾体９を装飾体取付部材２に取り付けた状態の裏面を示すものであり、図６は、図５で示す別の装飾体９の裏面側を装飾体取付部材２に取り付け、装飾体取付部材２に一体に設けられたゴムバンド保持部材４に備えるゴムバンド着脱ガイド部３より、ゴムバンド１を挿入した状態を示すものである。
【００１６】
ゴムバンドの着脱方法として、ゴムバンド着脱ガイド部３を変形させてゴムバンドを挿入させるのではなく、ゴムバンド保持部材４やゴムバンド着脱ガイド部３を敢えて変形させないよう強い剛性を備えた素材で形成し、ゴムの弾性により引っ張り伸ばすことで、ゴムバンド１の直径をゴムバンド挿入口６の間隔よりも小さくする。その結果、着脱の都度、ゴムバンド着脱ガイド部３やゴムバンド保持部材４に負荷をかけない構成とすることで、装飾体取付部材２の耐久性を保つことが出来、長期使用が可能となる。
【００１７】
ゴムバンド保持部材４は、挿入したゴムバンド１を安定に保持するよう、ゴムバンド保持部材４の内側をシリコン素材やシリコンゴム素材等で形成することで、挿入したゴムバンド１が、ゴムバンド保持部材４の内部でずれ動きを防止することができる。
【００１８】
さらに、ゴムバンド保持部材４の外側の髪に当る部分の形状は、ゴムバンド保持部材４の外側の髪を束ねる部分のゴムバンドの形に沿うよう、三日月形の窪み７を形成することで、頭髪を結束する際、ゴムバンド１を何重に廻し留めても、ゴムバンド保持部材４の外側の三日月形の窪み７が、ゴムバンド１の円柱形に沿うことで、装飾体とゴムバンド１が馴染み、装着の際、装飾体の安定性を保つことができる。
【００１９】
頭髪を束ね留める際、ゴムバンド１を下方向に引っ張り伸ばしても、装飾体取付部材２に設けられたゴムバンド着脱ガイド部３の幅は、装飾体取付部材２の幅と同じ幅に形成されているため、容易にゴムバンド着脱ガイド部３から、ゴムバンド１が抜け落ちたり外れたりすることはない。
【００２０】
ゴムバンド１が伸びたり切れたりした場合でも、ゴムバンド１のみを再度購入すれば、着脱可能な装飾体８や装飾体９は使用できるため長期使用が可能であり、継続使用できるため経済的である。
【００２１】
ゴムバンド１と装飾体８や装飾体９を着脱可能にすることで、頭髪量やヘアアレンジの髪型に合わせて使用するゴムバンド１のサイズを変更しても、容易に好みの装飾体８や装飾体９を変更して付け替えることができ、自分に丁度合うサイズに合わせることができる。
【００２２】
ゴムバンドは、頭髪を結束するとともに頭髪を装飾することも目的の１つであり、ゴムバンド１と装飾体８や装飾体９を着脱可能にすることで、装飾体８や装飾体９を、自分の好みに合わせて付け変えられることにより、デザイン性や装飾性を高めることができる。
【００２３】
装飾体取付部材２は、素材に関係なくさまざまな装飾体が取付け可能であり、装飾体８や装飾体９の形状や素材は、あらゆる構成で形成することができる。例えば、布製品はもとより、ガラス、宝石、鼈甲や鋳物など、ありとあらゆる素材で装飾品を製作することが可能であり、装飾体裏面側を装飾体取付部材２に取付けるだけで、簡単に付け替えが可能である。
【００２４】
以上の実施形態では、芯ゴム入り組紐１を用いて例示したが、ゴムバンドの形状はこれに限定されず、また、装飾体８や装飾体９のバリエーションも、素材や形状は、多種多様に形成されるものであり、これに限定されない。
【符号の説明】
【００２５】
１     ゴムバンド
２     装飾体取付部材
３     ゴムバンド着脱ガイド部
４     ゴムバンド保持部材
５     ゴムバンド保持空間
６     ゴムバンド挿入口
７     三日月形の窪み
８     装飾体
９     装飾体
【図１】
2020062258.tif 000003
【図２】
2020062258.tif 000004
【図３】
2020062258.tif 000005
【図４】
2020062258.tif 000006
【図５】
2020062258.tif 000007
【図６】
2020062258.tif 000008
【手続補正書】
【提出日】令和1年6月19日(2019.6.19)
【手続補正１】
【補正対象書類名】特許請求の範囲
【補正対象項目名】請求項１
【補正方法】変更
【補正の内容】
【請求項１】
裏面側に装飾体を取り付けるための装飾体取付部材と、上記装飾体取付部材に設けられ、上記装飾体取付部材とともに髪を束ねるためのゴムバンドを保持するための保持空間を形成するための保持部材を備え、上記保持部材の上記取付部材とは逆の側の端部に、上記装飾体取付部材と対向する前記端部が外側を向く平面部を有し、上記平面部と上記装飾体取付部材との間に髪を束ねるためのゴムバンドを上記保持空間に着脱させるための挿入口を形成するとともに髪を束ねるためのゴムバンドを上記保持空間に装着するためのガイドとなるガイド部を設けたことを特徴とする髪留め具。
【手続補正２】
【補正対象書類名】特許請求の範囲
【補正対象項目名】請求項２
【補正方法】変更
【補正の内容】
【請求項２】
保持部材の外側の髪を束ねる側の方にゴムバンドの形に沿う形状の窪みを設けた請求項１記載の髪留め具。
【手続補正３】
【補正対象書類名】特許請求の範囲
【補正対象項目名】請求項３
【補正方法】変更
【補正の内容】
【請求項３】
裏面側に装飾体を取り付けるための装飾体取付部材と、上記装飾体取付部材に設けられ、上記装飾体取付部材とともに髪を束ねるためのゴムバンドを保持するための保持空間を形成するための保持部材を備え、上記保持部材の上記取付部材とは逆の側の端部に、上記装飾体取付部材と対向する前記端部が外側を向く平面部を有し、上記平面部と上記装飾体取付部材との間に髪を束ねるためのゴムバンドを上記保持空間に着脱させるための挿入口を形成するとともに髪を束ねるためのゴムバンドを上記保持空間に装着するためのガイドとなるガイド部を設けた髪留め具本体と、上記保持空間内に装着されたゴムバンドよりなる髪留め具。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
裏面側に装飾体を取り付けるための装飾体取付部材と、上記装飾体取付部材に設けられ、上記装飾体取付部材とともに髪を束ねるためのゴムバンドを保持するための保持空間を形成するための保持部材を備え、上記保持部材の上記装飾体取付部材とは逆の側の端部に、上記装飾体取付部材と対向する前記端部が外側を向く平面部を有し、上記平面部と上記装飾体取付部材との間に髪を束ねるためのゴムバンドを上記保持空間に着脱させるための挿入口を形成するとともに、髪を束ねるためのゴムバンドを上記保持空間に装着するためのガイドとなるガイド部を設けるとともに、上記保持部材の外側の髪を束ねる側の方にゴムバンドの形に沿う形状の窪みを設けたことを特徴とする髪留め具。